【事件の表示】
　特許第３０２６２１３号「毛髪化粧料」の請求項１〜４に係る特許に対する特許異議の申立てについて、次のとおり決定する。
【結　論】
　訂正を認める。
　特許第３０２６２１３号の請求項１〜４に係る特許を維持する。
【理　由】
１．手続きの経緯
　本件特許第３０２６２１３号は、平成１０年１１月６日 （平成９年１２月８日付け特許出願に基づく優先権主張）に特許出願され、平成１２年１月２８日に設定登録された。その後、特許異議申立人須田武により特許異議申立てがなされ、特許取消し理由が通知された後、意見書提出の指定期間内である平成１３年３月２３日に明細書の訂正請求がされたものである。
　
２．訂正請求について
（１）訂正の内容
訂正事項ａ
　特許請求の範囲の請求項１の「【請求項１】（Ａ）２−ナフタレンスルホン酸、オキシベンゾンスルホン酸及びこれらの塩から選ばれる１種以上、並びに（Ｂ）カチオン性界面活性剤を含有する毛髪化粧料。」を、「【請求項１】（Ａ）２−ナフタレンスルホン酸又はその塩、並びに（Ｂ）カチオン性界面活性剤を含有する毛髪化粧料。」に訂正する。
訂正事項ｂ 
　発明の詳細な説明の段落【０００５】の「 【０００５】本発明は、（Ａ）オキシベンゾンスルホン酸及びこれらの塩から選ばれる１種以上、並びに（Ｂ）カチオン性界面活性剤を含有する毛髪化粧料を提供するものである。」を、「【０００５】本発明は、（Ａ）２−ナフタレンスルホン酸又はその塩、並びに（Ｂ）カチオン性界面活性剤を含有する毛髪化粧料を提供するものである。」に訂正する。
訂正事項ｃ
　発明の詳細な説明の段落【０００６】中の「２−ナフタレンスルホン酸、オキシベンゾンスルホン酸の塩としては、」を、「２−ナフタレンスルホン酸の塩としては、」に訂正する。
（２）訂正の適否について
　訂正事項ａは、特許請求の範囲の請求項１において、（Ａ）成分として挙げられているものの中から、オキシベンゾンスルホン酸及びその塩を削除して、（Ａ）成分を２−ナフタレンスルホン酸またはその塩のみにするものであるから、特許請求の範囲の減縮を目的とする訂正である。
　訂正事項ｂ及び訂正事項ｃは、訂正事項ａによって特許請求の範囲が減縮されたことに伴い、発明の詳細な説明の対応部分の整合を図るものであるから、明りょうでない記載の釈明を目的とする訂正である。
　そして、訂正事項ａ〜ｃは、明細書に記載した事項の範囲内での訂正であり、特許請求の範囲を実質的に拡張し、又は変更するものでもない。
　したがって、本件訂正は、特許法第１２０条の４第２項及び同条第３項において準用する同条第１２６条第２項から第４項の規定に適合するので、訂正を認める。
　
３．特許異議の申立てについて
（１）申立ての理由の概要
　特許異議申立人は、甲第１号証（特開平７−２２８５１０号公報）及び甲第２号証（特開平６−２２７９４８号公報）を提出して、訂正前の本件特許の請求項１〜４に係る発明は、甲第１号証及び甲第２号証に記載された発明であるから、特許法第２９条第１項第３号に該当するので、本件特許の請求項１〜４に係る特許は、特許法第１１３条第１項第２号の規定により取り消されるべきものである旨を主張している。
（２）本件特許の請求項１〜４に係る発明
　上記２．に示したように本件訂正は認められるから、本件特許の請求項１〜４に係る発明は、訂正明細書の特許請求の範囲の請求項１〜４に記載された事項により特定されたとおりのものである。
（３）甲第１号証及び甲第２号証の記載について
　甲第１号証の請求項１には、「（Ａ）紫外線吸収剤、（Ｂ）アルコール又はその縮合物であって炭素数の合計が９以上のものと酸とのエステル類、（Ｃ）水溶性高分子、及び（Ｄ）カチオン界面活性剤及び／又はモノ−Ｎ−長鎖アシル塩基性アミノ酸低級アルキルエステル塩を含有することを特徴とする毛髪化粧料。」が記載されており、その発明の詳細な説明の【００１１】欄には、紫外線吸収剤としてオキシベンゾスルホン酸が挙げられ、第８〜９頁には、実施例９としてオキシベンゾスルホン酸とカチオン界面活性剤である塩化ステアリルトリメチルアンモニウムを配合したヘアトリートメント組成物が開示され（表４）、「紫外線による赤色化防止効果、ぱさつき防止効果、及びしっとり感付与効果を有していた」と記載されている。
　甲第２号証の請求項１には、「スルホン酸基を有する紫外線吸収剤と、メチルポリシロキサンと、カチオン界面活性剤及び／又はカチオン性重合体とを含有する毛髪用化粧料。」が記載され、その請求項２には、前記紫外線吸収剤として、オキシベンゾンスルホン酸が挙げられ、実施例には具体的配合例が開示され、【００１９】欄には、「本発明によると、紫外線防止効果を損なうことなく、毛髪に良好な仕上がり感を付与し得る毛髪化粧料を得ることが可能である。」と記載されている。
（４）対比・判断
　訂正前の請求項１〜４に係る発明において、（Ａ）成分であったオキシベンゾンスルホン酸及びその塩は、訂正によって削除され、訂正後の請求項１〜４に係る発明の（Ａ）成分は２−ナフタレンスルホン酸又はその塩のみとなった。そして、甲第１号証及び甲第２号証には、２−ナフタレンスルホン酸又はその塩に関しては、何らの記載も示唆もない。
　したがって、訂正された本件特許の請求項１〜４に係る発明については、甲第１号証又は甲第２号証に記載にされた発明とすることはできない。
　
４．むすび
　以上のとおりであるから、特許異議申立ての理由及び証拠によっては、本件特許の請求項１〜４に係る特許を取り消すことができない。
　また、他に本件特許の請求項１〜４に係る特許を取り消すべき理由を発見しない。
　よって、結論のとおり決定する。
【異議決定日】
平成１３年６月１２日（２００１．６．１２）
【訂正の要旨】
訂正の要旨
訂正事項ａ
　特許請求の範囲の減縮を目的として、特許請求の範囲の請求項１の「【請求項１】（Ａ）２−ナフタレンスルホン酸、オキシベンゾンスルホン酸及びこれらの塩から選ばれる１種以上、並びに（Ｂ）カチオン性界面活性剤を含有する毛髪化粧料。」を、「【請求項１】（Ａ）２−ナフタレンスルホン酸又はその塩、並びに（Ｂ）カチオン性界面活性剤を含有する毛髪化粧料。」に訂正する。
訂正事項ｂ
　明りょうでない記載の釈明を目的として、発明の詳細な説明の段落【０００５】の「【０００５】本発明は、（Ａ）オキシベンゾンスルホン酸及びこれらの塩から選ばれる１種以上、並びに（Ｂ）カチオン性界面活性剤を含有する毛髪化粧料を提供するものである。」を、「【０００５】本発明は、（Ａ）２−ナフタレンスルホン酸又はその塩、並びに（Ｂ）カチオン性界面活性剤を含有する毛髪化粧料を提供するものである。」に訂正する。
訂正事項ｃ
　明りょうでない記載の釈明を目的として、発明の詳細な説明の段落【０００６】中の「２−ナフタレンスルホン酸、オキシベンゾンスルホン酸の塩としては、」を、「２−ナフタレンスルホン酸の塩としては、」に訂正する。
（５４）【発明の名称】
毛髪化粧料
（５７）【特許請求の範囲】
　【請求項１】　（Ａ）２−ナフタレンスルホン酸又はその塩、並びに（Ｂ）カチオン性界面活性剤を含有する毛髪化粧料。
　【請求項２】　更に、（Ｃ）油剤を含有する請求項１記載の毛髪化粧料。
　【請求項３】　成分（Ｂ）のカチオン性界面活性剤が、一般式（１）
　【化１】
（式中、Ｒ１、Ｒ２、Ｒ３及びＲ４のうち、少なくとも１個は総炭素数８〜３５のアルコキシ基、アルケニルオキシ基、アルカノイルアミノ基もしくはアルケノイルアミノ基で置換されていてもよいアルキル基もしくはアルケニル基又は脂肪族アシルオキシ（ポリ）エトキシ）エチル基を示し、残余はベンジル基、炭素数１〜５のアルキル基もしくはヒドロキシアルキル基又は合計付加モル数１０以下のポリオキシエチレン基を示し、Ｚ−はハロゲンイオン又は有機アニオンを示す）で表わされる第４級アンモニウム塩である請求項１又は２項記載の毛髪化粧料。
　【請求項４】　成分（Ｃ）の油剤が、一般式（５）で表わされる脂肪族アルコール、一般式（６）で表わされる脂肪酸及び一般式（７）で表わされるグリセライド
　【化２】
（式中、Ｒ１６は炭素数１２〜２２のアルキル基又はアルケニル基を示し、Ｒ１７は炭素数１１〜２１のアルキル基又はアルケニル基を示す。式（７）中、Ｒ１８、Ｒ１９及びＲ２０のうち少なくとも１つは炭素数１１〜２１のアルキル基又はアルケニル基を有するカルボニル基を示し、残余は水素原子を示す。）
から選ばれるものである請求項１〜３のいずれか１項記載の毛髪化粧料。
【発明の詳細な説明】
　【０００１】
　【発明の属する技術分野】
　本発明は、油っぽいべたつきがなく、しっとりサラサラし、しかもヘアスタイルのまとまり性に優れた毛髪化粧料に関する。
　【０００２】
　【従来の技術】
　カチオン性界面活性剤を配合した種々の毛髪化粧料は、しっとり感を高めようとすると、同時にべたつきが伴い、サラサラさせようとするとパサツキがちになってしまうなどの欠点がある。
　【０００３】
　【発明が解決しようとする課題】
　本発明の目的は、油っぽいべたつきがなく、しっとりサラサラした感触が得られる毛髪化粧料を提供することにある。
　【０００４】
　【課題を解決するための手段】
　本発明者らは、カチオン性界面活性剤とともに、特定の化合物を用いれば、油っぽいべたつきがなく、しっとりサラサラし、しかもヘアスタイルのまとまり性に優れた毛髪化粧料が得られることを見出した。
　【０００５】
　本発明は、（Ａ）２−ナフタレンスルホン酸又はその塩、並びに（Ｂ）カチオン性界面活性剤を含有する毛髪化粧料を提供するものである。
　【０００６】
　【発明の実施の形態】
　本発明で用いられる成分（Ａ）の２−ナフタレンスルホン酸の塩としては、例えばナトリウム、カリウム等のアルカリ金属塩、カルシウム、マグネシウム等のアルカリ土類金属塩などが挙げられる。成分（Ａ）としては、特に２−ナフタレンスルホン酸、２−ナフタレンスルホン酸ナトリウムが好ましい。
　【０００７】
　成分（Ａ）は１種以上を用いることができ、全組成中に０．０１〜１０重量％、特に０．１〜５重量％、更に０．３〜２重量％配合すると、十分な効果が得られ、好ましい。
　【０００８】
　成分（Ｂ）のカチオン性界面活性剤としては、例えば次の一般式（１）
　【０００９】
　【化３】
　【００１０】
（式中、Ｒ１、Ｒ２、Ｒ３及びＲ４のうち、少なくとも１個は総炭素数８〜３５のアルコキシ基、アルケニルオキシ基、アルカノイルアミノ基もしくはアルケノイルアミノ基で置換されていてもよいアルキル基もしくはアルケニル基又は脂肪族アシルオキシ（ポリエトキシ）エチル基を示し、残余はベンジル基、炭素数１〜５のアルキル基もしくはヒドロキシアルキル基又は合計付加モル数１０以下のポリオキシエチレン基を示し、Ｚ−はハロゲンイオン又は有機アニオンを示す）
で表わされる第４級アンモニウム塩が挙げられる。
　【００１１】
　これらのカチオン性界面活性剤のうち、好ましいものとしては、例えばジステアリルジメチルアンモニウムクロライド、ステアリルトリメチルアンモニウムクロライド、カプリルトリメチルアンモニウムクロライド、ミリスチルトリメチルアンモニウムクロライド、セチルトリメチルアンモニウムクロライド、ベヘニルトリメチルアンモニウムクロライド、ラウリルトリメチルアンモニウムクロライド、Ｎ−ステアリル−Ｎ，Ｎ，Ｎ−トリ（ポリオキシエチレン）アンモニウムクロライド（合計３モル付加）、セチルベンジルジメチルアンモニウムクロライド、セチルトリエチルアンモニウムブロマイド、ジステアリルジメチルアンモニウムクロライド等のほか、次の一般式（２）〜（３）で表わされる分岐鎖第４級アンモニウム塩、一般式（４）で表わされる第４級アンモニウム塩が挙げられる。
　【００１２】
　【化４】
　【００１３】
　【化５】
（Ｒ１１はメチル基又はエチル基を示し、ａはアルキル基中の合計炭素数が８〜１６となる整数を示し）で表わされる分岐アルキル基及び（Ｂ）ＣＨ３−（ＣＨ２）ｂ−（ｂは７〜１５の整数を示す）で表わされる直鎖アルキル基の混合物で、その分岐率（Ａ）／（Ａ）＋（Ｂ）が１０〜１００モル％である基を示し、Ｒ６及びＲ７はベンジル基、炭素数１〜３のアルキル基又はヒドロキシアルキル基を示し、Ｒ８及びＲ９は炭素数２〜１２のアルキル基を示し、Ｒ１０は基
ン又は有機アニオンを示す〕
　【００１４】
　【化６】
　【００１５】
（式中、Ｒ１２及びＲ１３はヒドロキシル基で置換されていてもよい炭素数８〜２２のアルキル基又はアルケニル基を示し、Ｒ１４及びＲ１５は炭素数１〜３のアルキル基又は−（ＣＨ２ＣＨ２Ｏ）ｅＨ（ｅは１〜６の数を示す）を示し、ｃ及びｄは０〜５の数を示し、Ｚ−はハロゲンイオン又は有機アニオンを示す）
　【００１６】
　なお、これら第４級アンモニウム塩の対イオンであるＺ−の具体例としては、塩素、ヨウ素、臭素等のハロゲンイオン；メトサルフェート、エトサルフェート、メトフォスフェート、エトフォスフェート等の有機アニオンが挙げられる。
　【００１７】
　これらのうち、一般式（２）で表わされる分岐鎖第４級アンモニウム塩は、例えば通常、炭素数９〜１６のオキソアルコールを原料として合成されるものであり、その例としては、オキソアルコールから導かれるアルキル基を有するジアルキルジメチルアンモニウム塩、ジアルキルメチルヒドロキシエチルアンモニウム塩、ジアルキルメチルベンジルアンモニウム塩等が挙げられる。
　本発明においては、式（２）のＲ５の分岐鎖率が、通常１０〜１００モル％のものが用いられるが、特に１０〜５０モル％のものが好ましい。また、Ｒ５の合計炭素数が８〜１６のものが用いられるが、一定の分布を持ったものが好ましく、特に以下に示す分布を有するものが好ましい。
　【００１８】
　【表１】
　Ｃ８〜Ｃ１１：５％モル以下
　Ｃ１２：１０〜３５モル％
　Ｃ１３：１５〜４０モル％
　Ｃ１４：２０〜４５モル％
　Ｃ１５：５〜３０モル％
　Ｃ１６：５モル％以下
　【００１９】
　かかる分岐鎖第４級アンモニウム塩の具体例としては、炭素数８〜１６で分岐鎖率１０〜５０モル％のアルキル基を有する、ジアルキルジメチルアンモニウムクロライドが挙げられる。
　【００２０】
　また、一般式（３）で表わされる分岐鎖第４級アンモニウム塩は通常、炭素数８〜２８のゲルベアルコール
　【００２１】
　【化７】
　【００２２】
　この分岐鎖第４級アンモニウム塩のうち、好ましいものとしては、例えば炭素数８〜２８のゲルベアルコールから導かれるアルキル基を有するアルキルトリメチルアンモニウム塩、アルキルジメチルベンジルアンモニウム塩、ジアルキルジメチルアンモニウム塩、ジアルキルメチルヒドロキシエチルアンモニウム塩、ジアルキルメチルベンジルアンモニウム塩等が挙げられる。更に、これらのうちで特に好ましいものとしては、例えば２−デシルテトラデシルトリメチルアンモニウムクロライド、２−ドデシルヘキサデシルトリメチルアンモニウムクロライド、ジ−２−ヘキシルデシルジメチルアンモニウムクロライド、ジ−２−オクチルドデシルジメチルアンモニウムクロライド等を挙げることができる。
　【００２３】
　一般式（４）で表わされる第４級アンモニウム塩としては、例えばＷＯ９３／１０７４８、ＷＯ９２／０６８９９、ＷＯ９４／１６６７７等に記載されているものが挙げられる。特に、式（４）中、Ｒ１２及びＲ１３がオレイル基又は炭素数１２〜１８のアルキル基で、Ｒ１４がメチル基、Ｒ１５が−ＣＨ２ＣＨ２ＯＨ、ｃ及びｄが０のものが好ましい。
　【００２４】
　成分（Ｂ）のカチオン性界面活性剤は、１種以上を用いることができ、全組成中に０．０１〜２０重量％、特に０．１〜１０重量％、更に０．５〜５重量％配合すると、十分な効果が得られるとともに、使用感も良好であり好ましい。
　【００２５】
　本発明の毛髪化粧料には更に成分（Ｃ）として油剤を配合でき、べたつくことなくしっとり感をより高めることができ好ましい。かかる油剤としては、例えば炭素数１２〜３０の飽和又は不飽和アルコール類；当該アルコール類と多価アルコールとのエーテル類；当該アルコール類と炭素数１〜１１の脂肪酸とのエステル類；炭素数１２〜３０の飽和又は不飽和脂肪酸；当該脂肪酸と一価又は多価アルコールとのエステル類；当該脂肪酸とアミン類とのアミド類；ステロール類；スクアレン；リン脂質；糖脂質；炭化水素類；動植物性油脂；炭素数１２〜３０の飽和又は不飽和脂肪酸からなるモノ、ジ又はトリグリセリド等が挙げられる。
　【００２６】
　炭素数１２〜３０の飽和又は不飽和アルコール類としては、例えばｎ−ドデカール、ミリスチルアルコール、セチルアルコール、ステアリルアルコール、オレイルアルコール、ベヘニルアルコール、セリルアルコール、ミリシルアルコール、カラナービルアルコール、アラキンアルコール、オクチルドデカノール等が挙げられる。これらのアルコール類とエーテルを形成し得る多価アルコールとしては、グリセリン、ポリアルキレングリコールが挙げられ、当該エーテル類としては、α−モノイソステアリルグリセリルエーテル、ポリオキシエチレンポリオキシプロピレンステアリルエーテル、ポリオキシエチレンセチルエーテル、ポリオキシエチレンオクチルドデシルエーテル等が挙げられる。また、これらのアルコール類と炭素数１〜１１の脂肪酸とのエステル類としては、２−エチルヘキサン酸セチル、リンゴ酸ジイソステアリル等が挙げられる。
　【００２７】
　炭素数１２〜３０の飽和又は不飽和脂肪酸としては、ラウリン酸、ミリスチル酸、パルミチン酸、ステアリン酸、イソステアリン酸、ベヘニン酸、セロチン酸、ヤシ油脂肪酸、オレイン酸、１８−メチルエイコサン酸等が挙げられる。また、これらの脂肪酸とエステルを形成し得る一価又は多価アルコールとしては、前記の炭素数１２〜３０の飽和又は不飽和アルコール類、グリセリン、ステロール、脂溶性ビタミン等が挙げられ、当該エステル類としてはオレイン酸モノグリセリド、パルミチン酸モノグリセリド、ベヘニン酸モノグリセリド、ミリスチン酸モノグリセリド、イソステアリン酸モノグリセリド、イソステアリン酸ジグリセリル、モノイソステアリン酸ポリオキシエチレングリセリル、ミリスチン酸イソプロピル、イソステアリル酸コレステリルエステル、ジペンタエリトリット脂肪酸エステル等が挙げられる。また、これらの脂肪酸とアミンとのアミド類としては、脂肪酸ジアルキルアミノアルキルアミド（長鎖アミドアミン）が挙げられ、その具体例としては、ステアリン酸ジエチルアミノエチルアミド（アミドアミンＳ／花王（株））等が挙げられる。
　【００２８】
　リン脂質としては、大豆リン脂質等が挙げられ、糖脂質としては、ソフォロースリピッド（グリコリビッドＰＳＬ／花王社製）等が挙げられる。炭化水素類としては、ワセリン、流動パラフィン、固形パラフィン等が挙げられる。また、動植物性油脂類としては、ミンクオイル、メドウフォーム油、オリーブ油（主成分は、オレイン酸グリセリンエステル）、蜜ろう（主成分は、ミリシルアルコールパルミチン酸エステル）、パーム油（主成分は、ミリスチン酸グリセリンエステル）、鯨ろう（主成分は、セリルアルコールパルミチン酸エステル）、羊毛脂（ラノリン）等が挙げられる。
　【００２９】
　炭素数１２〜３０の飽和又は不飽和脂肪酸からなるモノ、ジ又はトリグリセライドとしては、例えばモノラウリン酸グリセリド、モノステアリン酸グリセリド、モノオレイン酸グリセリド、ジミリスチン酸グリセリド、１−パルミトイル−オレイン酸グリセリド、トリステアリン酸グリセリド等が挙げられる。
　【００３０】
　これらのうち、特に次の一般式（５）で表わされる脂肪族アルコール、一般式（６）で表わされる脂肪酸、一般式（７）で表わされるグリセライドが好ましい。
　【００３１】
　【化８】
　【００３２】
（式中、Ｒ１６は炭素数１２〜２２のアルキル基又はアルケニル基を示し、Ｒ１７は炭素数１１〜２１のアルキル基又はアルケニル基を示す。式（７）中、Ｒ１８、Ｒ１９及びＲ２０のうち少なくとも１つは炭素数１１〜２１のアルキル基又はアルケニル基を有するカルボニル基を示し、残余は水素原子を示す。）
　【００３３】
　成分（Ｃ）の油剤は、１種以上を用いることができ、全組成中に０．０１〜３０重量％、特に０．０５〜２０重量％、更に０．１〜１０重量％配合すると、十分な効果が得られるとともに、使用感も良好であり好ましい。
　【００３４】
　本発明の毛髪化粧料には、例えばアニオン性界面活性剤、両性界面活性剤、非イオン性界面活性剤等の前記以外の界面活性剤、アニオン性ポリマー、非イオン性ポリマー、カチオン性ポリマー、アルコール類、粉体、機能性ビーズ・カプセル類、金属キレート剤、抗酸化剤、粘度調整剤、防腐剤、動植物抽出物、消炎剤、殺菌剤、抗フケ剤、酸化防止剤、パール化剤、紫外線吸収剤、ｐＨ調整剤、色素、香料などを、適宜配合できる。
　【００３５】
　本発明の毛髪化粧料は、例えばヘアリンス、トリートメント、コンディショナー、ヘアクリーム、ブローローション、ヘアパック、シャンプー、コンディショニングジェル、コンディショニングフォーム等の毛髪化粧料として適用される。
　【００３６】
　本発明の毛髪化粧料は、ｐＨ２〜１０、特にｐＨ３〜８が好ましい。
　【００３７】
　【発明の効果】
　本発明の毛髪化粧料は、油っぽいべたつきがなく、しっとりサラサラし、しかもヘアスタイルのまとまり性に優れたものである。
　【００３８】
　【実施例】
　実施例１表２〜３に示す組成のコンディショナーを常法により製造し、これを使用したときの毛髪の油っぽさ、しっとり感、サラサラ感及びまとまり性を以下の基準で官能評価した。結果を表２〜３に併せて示す。
　【００３９】
（評価基準）
（１）油っぽさ；
　◎：油っぽくない。
　○：ほとんど油っぽくない。
　△：少し油っぽい。
　×：油っぽい。
（２）しっとり感；
　◎：非常にしっとりする。
　○：しっとりする。
　△：あまりしっとりしない。
　×：しっとりしない。
（３）サラサラ感；
　◎：サラサラする。
　○：ややサラサラする。
　△：あまりサラサラしない。
　×：サラサラしない。
（４）まとまり性；
　◎：まとまる。
　○：ややまとまる。
　△：あまりまとまらない。
　×：まとまらない。
　【００４０】
　【表２】
　【００４１】
　【表３】
　【００４２】
実施例２（ヘアトリートメント）
　以下に示す組成のヘアトリートメントを常法により製造した。
　【００４３】
【表４】
　【００４４】
実施例３（ヘアリンス）
以下に示す組成のヘアリンスを常法により製造した。
　【００４５】
【表５】
　＊：炭素数１２〜１５の市販オキソ法合成アルコール（ドバノール２３と４５の等量混合物、三菱油化社製）に由来する分岐鎖第４級アンモニウム塩で、その分岐鎖率は、２０重量％である。
　【００４６】
実施例４（コンディショニングヘアフォーム）
　以下に示す組成のコンディショニングヘアフォームを常法により製造した。
　【００４７】
　【表６】
　【００４８】
実施例５（ヘアコンディショニングジェル）
　以下に示す組成のヘアコンディショニングジェルを常法により製造した。
　【００４９】
　【表７】
　【００５０】
　実施例２〜５で得られた毛髪化粧料はいずれも、油っぽいべたつきがなく、しっとりサラサラし、しかもヘアスタイルのまとまり性に優れていた。